(57)【要約】【課題】構造性能を確保しつつ、より高い断熱性能を発揮することである。【解決手段】四隅の柱２０、複数の天井梁２１，２２、複数の床梁２３，２４を有してラーメン構造を構成する略直方体フレーム状のユニット本体２と、断熱性能を有し、かつユニット本体２の外側面を被覆する複数の木質パネルと、を備える居住用ユニット１であって、複数の木質パネルには、四隅の柱２０及び複数の天井梁２１，２２おける外側面を被覆するフレーム材用パネル３（３Ａ，３Ｂ）と、天井梁２１，２２と床梁２３，２４との間に架け渡され、かつ、四隅の柱２０における外側面を被覆するフレーム材用パネル３（３Ａ）間に複数並べられて配置される壁用木質パネル４と、が含まれ、フレーム材用パネル３（３Ａ，３Ｂ）は、四隅の柱２０及び複数の天井梁２１，２２と同期して動作し、壁用木質パネル４は、カーテンウォールとして機能する。【選択図】図４
2020159084.tif 000002
【特許請求の範囲】
【請求項１】
四隅の柱と、前記四隅の柱の上端部同士を連結する複数の天井梁と、前記四隅の柱の下端部同士を連結する複数の床梁と、を有してラーメン構造を構成する略直方体フレーム状のユニット本体と、
断熱性能を有し、かつ前記ユニット本体の外側面を被覆する複数の木質パネルと、を備える居住用ユニットであって、
前記複数の木質パネルには、
少なくとも前記四隅の柱と前記複数の天井梁のそれぞれに沿って配置され、かつ当該四隅の柱及び複数の天井梁おける外側面を被覆するようにして設けられるフレーム材用パネルと、
前記天井梁と前記床梁との間に架け渡されるようにして設けられ、かつ、前記四隅の柱における外側面を被覆する前記フレーム材用パネル間に複数並べられて配置される壁用木質パネルと、が含まれており、
前記フレーム材用パネルは、前記四隅の柱及び前記複数の天井梁と同期して動作し、前記壁用木質パネルは、カーテンウォールとして機能することを特徴とする居住用ユニット。
【請求項２】
請求項１に記載の居住用ユニットにおいて、
前記壁用木質パネルの外周端面には弾力性を有する緩衝材が設けられ、当該緩衝材は、前記複数の木質パネルのうち隣接する木質パネルとの間で潰れた状態となっていることを特徴とする居住用ユニット。
【請求項３】
請求項１又は２に記載の居住用ユニットにおいて、
前記複数の木質パネルには、
前記複数の天井梁間に架け渡される複数の屋根用木質パネルが更に含まれていることを特徴とする居住用ユニット。
【請求項４】
請求項３に記載の居住用ユニットにおいて、
前記四隅の柱における外側面を被覆する前記フレーム材用パネル間に複数並べられて配置された壁用木質パネルの上に、前記複数の天井梁を被覆する前記フレーム材用パネルが設けられ、その上方に、前記複数の屋根用木質パネルが設けられていることを特徴とする居住用ユニット。
【請求項５】
請求項１〜４のいずれか一項に記載の居住用ユニットにおいて、
前記四隅の柱を被覆する前記フレーム材用パネルの上端部と、前記複数の天井梁を被覆する前記フレーム材用パネルの側端部とが連結されていることを特徴とする居住用ユニット。
【発明の詳細な説明】
【技術分野】
【０００１】
本発明は、居住用ユニットに関する。
【背景技術】
【０００２】
従来、直方体フレーム状に形成された複数の建物ユニットを組み合わせてユニット式建物を建築する技術が知られている（例えば特許文献１参照）。建物ユニットは、四隅の柱と、各柱の上端部同士を連結する複数の天井梁と、各柱の下端部同士を連結する複数の床梁と、を備えており、四隅の柱と各梁とを剛接合してラーメン構造を構成している。
【０００３】
また、ラーメン構造の建物ユニットを構成する四隅の柱や各梁のヒートブリッジ対策として、特許文献２のように、四隅の柱や各梁の室内側及び外壁側に沿って断熱材をそれぞれ配置する場合がある。
【先行技術文献】
【特許文献】
【０００４】
【特許文献１】特開２００１−２１４５３０号公報
【特許文献２】特開２００７−２９１６３９号公報
【発明の概要】
【発明が解決しようとする課題】
【０００５】
ところで、寒冷地や極地での建物ユニットの使用を考える場合、このような低温環境下では、ラーメン構造の建物ユニット（以下、居住用ユニット）が有する頑健な構造性能を確保しつつ、より高い断熱性能が必要となる。
【０００６】
本発明は上記事情に鑑みてなされたものであり、その課題は、構造性能を確保しつつ、より高い断熱性能を発揮することである。
【課題を解決するための手段】
【０００７】
請求項１に記載の発明は、例えば図１〜図２５に示すように、四隅の柱２０と、前記四隅の柱２０の上端部同士を連結する複数の天井梁２１，２２と、前記四隅の柱２０の下端部同士を連結する複数の床梁２３，２４と、を有してラーメン構造を構成する略直方体フレーム状のユニット本体２と、
断熱性能を有し、かつ前記ユニット本体２の外側面を被覆する複数の木質パネルと、を備える居住用ユニット１であって、
前記複数の木質パネルには、
少なくとも前記四隅の柱２０と前記複数の天井梁２１，２２のそれぞれに沿って配置され、かつ当該四隅の柱２０及び複数の天井梁２１，２２おける外側面を被覆するようにして設けられるフレーム材用パネル３（３Ａ，３Ｂ）と、
前記天井梁２１，２２と前記床梁２３，２４との間に架け渡されるようにして設けられ、かつ、前記四隅の柱２０における外側面を被覆する前記フレーム材用パネル３（３Ａ）間に複数並べられて配置される壁用木質パネル４と、が含まれており、
前記フレーム材用パネル３（３Ａ，３Ｂ）は、前記四隅の柱２０及び前記複数の天井梁２１，２２と同期して動作し、前記壁用木質パネル４は、カーテンウォールとして機能することを特徴とする。
【０００８】
請求項１に記載の発明によれば、ラーメン構造を構成する略直方体フレーム状のユニット本体２による構造性能を確保しつつ、より高い断熱性能を発揮することができる。
すなわち、ヒートブリッジなど低温環境下における影響を受けやすい鉄骨の四隅の柱２０や複数の天井梁２１，２２を、フレーム材用パネル３（３Ａ，３Ｂ）によって被覆することができるので、断熱性の向上を図ることができる。また、このようなフレーム材用パネル３（３Ａ，３Ｂ）は、四隅の柱２０及び複数の天井梁２１，２２と同期して動作するので、例えば地震や強風によってユニット本体２が振動しても、四隅の柱２０及び複数の天井梁２１，２２を被覆した状態を維持できる。
さらに、壁用木質パネル４は、カーテンウォールとして機能するので、ユニット本体２の振動に極端に影響されることなく、ユニット本体２の側面を被覆することができ、断熱性の維持に貢献できる。
【０００９】
請求項２に記載の発明は、例えば図１９に示すように、請求項１に記載の居住用ユニット１において、
前記壁用木質パネル４の外周端面には弾力性を有する緩衝材１０が設けられ、当該緩衝材１０は、前記複数の木質パネルのうち隣接する木質パネル（フレーム材用パネル３、壁用木質パネル４、屋根用木質パネル５、端部用屋根パネル６）との間で潰れた状態となっていることを特徴とする。
【００１０】
請求項２に記載の発明によれば、壁用木質パネル４の外周端面には弾力性を有する緩衝材１０が設けられ、当該緩衝材１０は、複数の木質パネルのうち隣接する木質パネルとの間で潰れた状態となっているので、壁用木質パネル４と、これに隣接する木質パネルとの間の気密性を向上させることができる。また、壁用木質パネル４と、これに隣接する木質パネルとの間における摩擦の低減を図ることができる。
【００１１】
請求項３に記載の発明は、例えば図１〜図２５に示すように、請求項１又は２に記載の居住用ユニット１において、
前記複数の木質パネルには、
前記複数の天井梁２１，２２間に架け渡される複数の屋根用木質パネル５，６が更に含まれていることを特徴とする。
【００１２】
請求項３に記載の発明によれば、複数の木質パネルには、複数の天井梁２１，２２間に架け渡される複数の屋根用木質パネル５，６が更に含まれているので、居住用ユニット１の上面における断熱性を確保することができ、結果的に居住用ユニット１全体の断熱性能の向上に貢献できる。
【００１３】
請求項４に記載の発明は、例えば図１４〜図１６，図２０〜図２２に示すように、請求項３に記載の居住用ユニット１において、
前記四隅の柱２０における外側面を被覆する前記フレーム材用パネル３（３Ａ）間に複数並べられて配置された壁用木質パネル４の上に、前記複数の天井梁２１，２２を被覆する前記フレーム材用パネル３（３Ｂ）が設けられ、その上方に、前記複数の屋根用木質パネル５，６が設けられていることを特徴とする。
【００１４】
請求項４に記載の発明によれば、断熱性能を有する複数の木質パネルによって、居住用ユニット１の側面から上面にかけて連続して被覆することができるので、居住用ユニット１全体の断熱性能を向上させることができる。
【００１５】
請求項５に記載の発明は、例えば図１５，図１６に示すように、請求項１〜４のいずれか一項に記載の居住用ユニット１において、
前記四隅の柱２０を被覆する前記フレーム材用パネル３（３Ａ）の上端部と、前記複数の天井梁２１，２２を被覆する前記フレーム材用パネル３（３Ｂ）の側端部とが連結されていることを特徴とする。
【００１６】
請求項５に記載の発明によれば、四隅の柱２０を被覆するフレーム材用パネル３（３Ａ）の上端部と、複数の天井梁２１，２２を被覆するフレーム材用パネル３（３Ｂ）の側端部とが連結されているので、四隅の柱２０と、四隅の柱２０の上端部同士を連結する複数の天井梁２１，２２と同期しやすくなり、断熱性の向上に貢献できる。
【発明の効果】
【００１７】
本発明によれば、構造性能を確保しつつ、より高い断熱性能を発揮することができる。
【図面の簡単な説明】
【００１８】
【図１】居住用ユニットの使用例を説明する斜視図である。
【図２】居住用ユニットの内部を示す断面図である。
【図３】一方の居住用ユニットと他方の居住用ユニットの連結状態を示す斜視図である。
【図４】連結された一方及び他方の居住用ユニットを示す平断面図である。
【図５】連結された一方及び他方の居住用ユニットを示す縦断面図である。
【図６】ユニット本体の妻側部における構造を示す図である。
【図７】ユニット本体の桁側部における構造を示す図である。
【図８】ユニット本体の上端部における構造を示す図である。
【図９】ユニット本体の下端部における構造を示す図である。
【図１０】ユニット本体における柱の構造を示す図である。
【図１１】屋根用木質パネルの設置状態を示す部分拡大断面図である。
【図１２】屋根用木質パネルの設置状態を示す部分拡大断面図である。
【図１３】床梁と、床梁に設けられた部材を示す図である。
【図１４】複数の木質パネルの配置を示す断面図である。
【図１５】フレーム材用パネルの配置を示す断面図である。
【図１６】フレーム材用パネルの配置を示す図である。
【図１７】壁用木質パネルの上端部における取付構造を示す斜視図である。
【図１８】壁用木質パネルの下端部における取付構造を示す斜視図である。
【図１９】緩衝材が潰れる態様を説明するための図である。
【図２０】屋根用木質パネルの配置を示す図である。
【図２１】端部用屋根パネルの構造を示す図である。
【図２２】居住用ユニットの上端部における角部の構造を示し、（ａ）は断熱性が充填されていない状態、（ｂ）は断熱材が充填された状態を示す断面図である。
【図２３】居住用ユニットの下端部における角部の構造を示す断面図である。
【図２４】連結スペースの側方付近の構造を示す平断面図である。
【図２５】連結スペースの上方付近の構造を示す縦断面図である。
【発明を実施するための形態】
【００１９】
以下、図面を参照して本発明の実施の形態について説明する。ただし、以下に述べる実施形態には、本発明を実施するために技術的に好ましい種々の限定が付されているが、本発明の技術的範囲を以下の実施形態及び図示例に限定するものではない。
【００２０】
本実施形態の居住用ユニット１は、図１〜図２５に示すように、四隅の柱２０と、四隅の柱２０の上端部同士を連結する複数の天井梁２１，２２と、四隅の柱２０の下端部同士を連結する複数の床梁２３，２４と、を有してラーメン構造を構成する略直方体フレーム状のユニット本体２と、断熱性能を有し、かつユニット本体２の外側面を被覆する複数の木質パネルと、を備えるものである。
複数の木質パネルには、少なくとも四隅の柱２０と複数の天井梁２１，２２のそれぞれに沿って配置され、かつ当該四隅の柱２０及び複数の天井梁２１，２２おける外側面を被覆するようにして設けられるフレーム材用パネル３（３Ａ，３Ｂ）と、天井梁２１，２２と床梁２３，２４との間に架け渡されるようにして設けられ、かつ、四隅の柱２０における外側面を被覆するフレーム材用パネル３（３Ａ）間に複数並べられて配置される壁用木質パネル４と、が含まれている。
そして、フレーム材用パネル３（３Ａ，３Ｂ）は、四隅の柱２０及び複数の天井梁２１，２２と同期して動作し、壁用木質パネル４は、カーテンウォールとして機能する。
【００２１】
居住用ユニット１は、それ単体で内部に居住スペースＳを有するか、複数が連結されて内部に拡張された居住スペースＳを有する状態に使用されるものである。本実施形態における居住用ユニット１は、図１〜図５に示すように、二つの居住用ユニット１（１Ａ，１Ｂ）の長辺側同士が連結スペース５０を介して連結された状態で使用されるが、これに限られるものではなく、単体で使用されてもよい。
なお、連結スペース５０による二つの居住用ユニット１（１Ａ，１Ｂ）の連結態様は、本実施形態のように二つの居住用ユニット１Ａ，１Ｂの長辺側同士を連結するパターンの他にも、短辺側同士を連結するパターンや、略Ｌ字状に連結するパターンがある。また、三つ以上の居住用ユニット１を適宜連結してもよい。さらに、略Ｌ字状に連結するパターンでは、Ｌ字の内角側に、居住用ユニットでは構成されない居住スペース拡張構造（本実施形態において後述する連結床構造及び被覆構造を応用する。）を採用し、矩形状の居住スペースＳを形成できるようにしてもよい。
【００２２】
また、居住用ユニット１は、少なくともラーメン構造を構成する略直方体フレーム状のユニット本体２が工場生産され、ユニット本体２に取付可能な各種の部材（上記の複数の木質パネルを含む壁材、水道やガスの配管、電気線、通信線等々）は、工場で取り付けられてもよいし、現場で取り付けられてもよい。
なお、本実施形態におけるユニット本体２は、鉄骨造によるラーメン構造とされるが、これに限られるものではなく、鉄筋コンクリート造や鉄骨鉄筋コンクリート造によるラーメン構造でもよい。
【００２３】
また、居住用ユニット１は、上記のように、ユニット本体２が複数の木質パネルによって被覆されるものとしたが、複数の木質パネルは、図１に示すように、外装材１ａ（外皮）によって更に被覆されるものとする。外装材１ａは、居住用ユニット１が用いられる環境に応じて適宜変更可能である。基本的には耐候性に優れたものであり、居住用ユニット１が例えば寒冷地や熱帯、極地、砂漠、月面等の比較的過酷な環境下で使用される場合は、特に断熱性に優れた外装材が選択される。
なお、本実施形態においては、居住用ユニット１が寒冷地や極地、月面等で使用されることが想定されている。月面で使用される場合は、断熱性と共に気密性の高さも求められる。また、このような居住用ユニット１は、当該居住用ユニット１を支持する架台４０に載せられて連結される。
【００２４】
〔ユニット本体の構成について〕
ユニット本体２は、上記のように、四隅の柱２０と、四隅の柱２０の上端部同士を連結する複数の天井梁２１，２２と、四隅の柱２０の下端部同士を連結する複数の床梁２３，２４と、を有する。また、ユニット本体２の下端部における四隅には、連結部２５が設けられている。ユニット本体２を構成する当該各鉄骨フレーム材２０〜２５は、ボルトや溶接等により剛接合されている。
【００２５】
柱２０は、図６〜図１０に示すように、角柱（角筒柱）であり、上端部において直交して隣接する二つの側面に、天井梁２１，２２が固定される天井梁被固定板２０ａが一体的に設けられている。また、上端面には、後述する凸部２９が固定される凸部被固定板２０ｂが一体的に設けられている。
天井梁被固定板２０ａ及び凸部被固定板２０ｂには、ボルトが通される通し孔が形成されており、それぞれ、天井梁２１，２２と凸部２９がボルト留めされる。
【００２６】
柱２０の下端部には、上記の連結部２５が一体的に設けられている。これにより、ユニット本体２の下端部における四隅に連結部２５が配置された状態となる。柱２０は、連結部２５における上面（上面プレート２５ａ）のユニット本体２の中央側の隅部に立設されている。
【００２７】
複数の天井梁２１，２２は、ウェブ２１ａ，２２ａと、ウェブ２１ａ，２２ａの上端部に設けられる上フランジ２１ｂ，２２ｂと、ウェブ２１ａ，２２ａの下端部に設けられる下フランジ２１ｃ，２２ｃと、からなるＨ型鋼又は二つの溝型鋼を一体化した型鋼材が使用されている。また、ウェブ２１ａ，２２ａ、上フランジ２１ｂ，２２ｂ、下フランジ２１ｃ，２２ｃには、必要に応じて部材がボルト留めされるため、ボルト用の通し孔が複数形成されている。
【００２８】
複数の天井梁２１，２２は、ユニット本体２の長辺方向に沿って長尺な長辺天井梁２１と、ユニット本体２の短辺方向に沿って長尺な短辺天井梁２２と、を含む。これら長辺天井梁２１及び短辺天井梁２２は、本実施形態においては二本ずつ使用されており、柱２０の上端部を含んで矩形枠体を構成している。
【００２９】
複数の床梁２３，２４は、ウェブ２３ａ，２４ａと、ウェブ２３ａ，２４ａの上端部に設けられる上フランジ２３ｂ，２４ｂと、ウェブ２３ａ，２４ａの下端部に設けられる下フランジ２３ｃ，２４ｃと、からなるＨ型鋼又は二つの溝型鋼を一体化した型鋼材が使用されている。また、ウェブ２３ａ，２４ａ、上フランジ２３ｂ，２４ｂ、下フランジ２３ｃ，２４ｃには、必要に応じて部材がボルト留めされるため、ボルト用の通し孔が複数形成されている。
【００３０】
複数の床梁２３，２４は、ユニット本体２の長辺方向に沿って長尺な長辺床梁２３と、ユニット本体２の短辺方向に沿って長尺な短辺床梁２４と、を含む。これら長辺床梁２３及び短辺床梁２４は、本実施形態においては二本ずつ使用されており、連結部２５を含んで矩形枠体を構成している。
【００３１】
連結部２５は、ユニット本体２における複数の床梁２３，２４よりも外側にはみ出すように形成され、上面プレート２５ａと、立ち上がり部２５ｂと、床梁被固定板２５ｃと、連結ボックス２５ｄと、補強板２５ｅと、を備える。
【００３２】
上面プレート２５ａは、図１０（ｆ）に示すように略四角形状に形成されており、一つの隅部に柱２０が立設され、その対角線上の隅部に、平面視Ｌ字状に形成された立ち上がり部２５ｂが一体的に設けられている。
立ち上がり部２５ｂは、後述する木質柱８を上面プレート２５ａ上に立設する場合に使用される。
【００３３】
床梁被固定板２５ｃは、直交して隣接する二つの側面に設けられており、複数の床梁２３，２４が固定される。床梁被固定板２５ｃには、ボルトが通される通し孔が形成されており、複数の床梁２３，２４がボルト留めされる。
【００３４】
連結ボックス２５ｄは、架台４０との連結に用いられるものであり、外部に向けられた直交する二つの側面及び下面に、居住用ユニット１と架台４０との連結作業用の孔がそれぞれ形成されている。なお、図示はしないが、架台４０には、連結ボックス２５ｄの位置に対応してボルトが上方に突出して設けられており、当該ボルトは、連結ボックス２５ｄの下面に形成された孔から連結ボックス２５ｄ内部に設けられた状態となる。そして、二つの側面に形成された孔からナットを入れて、締付作業を行うことが可能となっている。
【００３５】
補強板２５ｅは、少なくとも、柱２０の側面の下方に位置するようにして設けられており、上面プレート２５ａを補強する役割を果たす。また、図１０のように、上面プレート２５ａに対する下面プレートとして設けられてもよい。
【００３６】
なお、複数の床梁２３，２４は、床梁被固定板２５ｃに固定された場合に、連結部２５の一側面における中央部に設けられた状態となる。すなわち、複数の床梁２３，２４は、柱２０の下端部からずれた位置に設けられた状態となる。これに対し、複数の天井梁２１，２２は、柱２０の上端部に設けられているため、ユニット本体２は、複数の天井梁２１，２２を含んで構成された矩形枠体よりも、複数の床梁２３，２４を含んで構成された矩形枠体の方が、外側に広がって形成されている。換言すれば、ユニット本体２自体の下端部の方が上端部よりも長辺方向及び短辺方向の寸法が長くなっている。
【００３７】
柱２０の上端面には、図６，図７に示すように、角柱（角筒柱）状に形成された凸部２９が固定されている。凸部２９は、後述する複数の屋根用木質パネル（屋根用木質パネル５及び端部用屋根パネル６）をユニット本体の上面に設置する際に位置決め手段として機能する突起である。
柱２０の上端に対する固定の手段は溶接でもよいし、凸部２９側面に貫通孔を形成し、貫通孔を利用して柱２０の上端とボルト連結してもよい。
なお、凸部２９の上面には、ボルトが通される通し孔が形成されており、端部用屋根パネル６がボルト留めできるようになっている。
【００３８】
凸部２９は、四隅の柱２０における上端面にそれぞれ固定されているため、本実施形態においては四つの凸部２９が、ユニット本体２の上端部における四隅に設けられた状態となっている。ただし、凸部２９の数及び設置箇所はこれに限られるものではなく、ユニット本体２の長辺方向両端部に少なくとも一つずつ設置されていればよいものとする。
例えば、凸部２９を、長辺方向に隣り合う二本の柱２０の上端面にそれぞれ設置してもよいし、同一対角線上に位置する二本の柱２０の上端面にそれぞれ設置してもよいし、平行する短辺天井梁２２の上端面における中央付近にそれぞれ設置してもよい。
【００３９】
複数の天井梁２１，２２のうち、少なくとも長辺天井梁２１の上面には、図１１及び図１２に示すように、複数の屋根用木質パネル５を支持する支持金物３０が、長辺天井梁２１に沿って設けられている。
なお、短辺天井梁２２の上面にも支持金物３０が設けられてもよい。この場合、端部用屋根パネル６が短辺天井梁２２上の支持金物３０によって支持される。
支持金物３０は、略逆ハット型に形成されており、天井梁２１，２２の上面に載置固定される載置面３０ａと、載置面３０ａに両側縁に一体形成された立ち上がりの上端部に一体形成された二つの支持面３０ｂと、を有する。複数の屋根用木質パネル５，６は、二つの支持面３０ｂに跨って設けられる。
【００４０】
複数の長辺天井梁２１には、図８及び図２２に示すように、複数の天井梁２１，２２を含んで構成された矩形枠体の対角線を結ぶようにして配置される水平ブレース３１が設けられている。
【００４１】
複数の床梁２３，２４における内側面には、図９，図１３，図２３に示すように、後述する床用木質パネル７を支持するための床受けブラケット３２及び床受け部３３が設けられている。
床受けブラケット３２は、複数の床梁２３，２４におけるウェブ２３ａ，２４ａの内側面に、互いに間隔を空けて複数固定されており、それぞれがユニット本体２の中央側に突出している。その突出方向先端部に、長尺な床受け部３３が一体的に設けられている。すなわち、複数の床受けブラケット３２における突出方向先端部間に、長尺な床受け部３３が架け渡されて設けられている。
床受け部３３は、複数の床受けブラケット３２における突出方向先端部の上面に沿って設けられた上面板部３３ａと、上面板部３３ａの先端に一体形成されて下方に延びる垂直板部３３ｂと、垂直板部３３ｂの下端部からユニット本体２の中央側に突出する受け板部３３ｃと、を有する。複数の床用木質パネル７は、受け板部３３ｃに載せられた状態となる。
【００４２】
複数の床梁２３，２４における外側面には、図１３，図２３に示すように、後述する調整材９が固定される調整材受け部３４が設けられている。
調整材受け部３４は、床受けブラケット３２と同様の間隔で設けられ、かつ同様のボルトによって床梁２３，２４に対して固定されている。このような調整材受け部３４は、床梁２３，２４に固定される基端板部３４ａと、基端板部３４ａから外側に突出する突出板部３４ｂと、突出板部３４ｂの突出方向先端部から基端板部３４ａと同方向に折曲形成された被固定板部３４ｃと、を有する。
調整材９は、被固定板部３４ｃに固定されている。なお、調整材受け部３４は、上記のように、床受けブラケット３２と同様の間隔で設けられているため、調整材９は、複数の調整材受け部３４に跨って配置されて固定されている。
【００４３】
ユニット本体２は、以上のようにして構成されている。
なお、複数の天井梁２１，２２及び複数の床梁２３，２４には、複数の壁用木質パネル４がユニット本体２に設けられるときに使用される第一取付金物２６と第二取付金物２７が取り付けられるが、これらについては後述する。
【００４４】
〔複数の木質パネルについて〕
以上のようなユニット本体２は、上記のように、断熱性能を有する複数の木質パネルによって外側面が被覆されている。本実施形態における複数の木質パネルには、フレーム材用パネル３（３Ａ，３Ｂ）、壁用木質パネル４、屋根用木質パネル５（端部用屋根パネル６）、床用木質パネル７が含まれており、コーナー部には木質柱８が立設されている。また、壁用木質パネル４の下方には、調整材９が設けられている。
さらに、フレーム材用パネル３（３Ａ，３Ｂ）の外側には、当該フレーム材用パネル３（３Ａ，３Ｂ）に沿ってコーナー用被覆材１５が設けられている。
【００４５】
木質パネルの基本構造としては、縦横の框材Ａ，Ｂが矩形状に組み立てられるとともに、縦横の框材Ａ，Ｂからなる矩形枠体の内部に補助桟材Ｃが縦横に組み付けられてパネル枠体が構成され、このパネル枠体の両面もしくは片面に、面材Ｄ，Ｅが貼設され、内部中空な構造となっている。さらに、その内部中空な部分には、通常、グラスウールやロックウール等の断熱材Ｆが装填される。
また、木質パネルを構成する縦横の框材Ａ，Ｂ、補助桟材Ｃ、面材Ｄ，Ｅ同士は、接着剤により強固に接合されている。
【００４６】
縦方向の框材Ａとは、矩形状に組み立てられた矩形枠体において長辺方向に延在する框材を指しており、横方向の框材Ｂとは、短辺方向に延在する框材を指している。
これらの框材Ａ，Ｂは、例えば木質パネルの剛性を向上させるため、被固定面の拡張等の目的で、必要に応じて複数枚重ねにして使用されてもよい。
【００４７】
補助桟材Ｃは、木質パネルの剛性を向上させるために必要に応じて、縦横の框材Ａ，Ｂによって組み立てられる矩形枠体に対して組み付けられるものであり、縦方向（長辺方向）のみに組み付けられてもよいし、横方向（短辺方向）のみに組み付けられてもよい。また、矩形枠に組み付けられなくてもよい。
補助桟材Ｃも、上記の框材Ａ，Ｂと同様に、必要に応じて複数枚重ねにして使用されてもよい。
【００４８】
面材Ｄ，Ｅは、いずれか一方が外部（屋外）側、他方が内部（居住スペース）側に設けられるものであり、本実施形態においては説明の便宜上、面材Ｄが外部側（以下、外側面材Ｄ）、面材Ｅが内部側（以下、内側面材Ｅ）に設けられるものとする。また、面材Ｄ，Ｅは、必ずしも枠体の両面に設けられるものではなく、片面のみに設けられるものとしてもよい。
【００４９】
断熱材Ｆとしては、上記のようにグラスウールやロックウール等の繊維系断熱材が主に使用されているが、これに限られるものではなく、例えばフェノールフォームやポリエチレンフォーム等のような発砲樹脂系断熱材が使用されてもよい。
木質パネル内部に部材等が設けられる場合、断熱材Ｆは、当該部材等を避けて設けられるが、断熱性能の低下を防ぐために、当該部材等を包囲するように設けられることが望ましい。なお、各図面中において網目状に表現された断熱材は繊維系断熱材であり、網目状に表現されていない断熱材は発泡樹脂系断熱材である。
【００５０】
框材Ａ，Ｂ、補助桟材Ｃ、面材Ｄ，Ｅには、貫通孔が適宜形成され、水道やガスの配管、電気線、通信線が通されたり、木質パネルの取り付け時に作業用に使用されたりする。
図１７，図１８には、壁用木質パネル４の取り付け作業用に、内側面材Ｅに対して貫通孔が形成された例が示されている。すなわち、貫通孔から内部にナットや金物等を差し入れたり、手や工具等を差し入れたりする。
なお、木質パネルに形成される貫通孔には、木質パネルを他の部材に対して固定する際のボルトが通される通し孔が含まれるものとし、このような通し孔は、必要な箇所に適宜形成されているものとする。また、ボルト留め（ボルト連結）を行う際は、ボルトの雄ネジと噛み合う雌ネジが形成されたナット等の部材又は構造が適宜利用されるものとする。
【００５１】
木質パネルに対しては、防蟻シートや透湿防水シートが適宜貼り付けられているものとする。特に、木質パネルにおける外側面材Ｄには、これらのシートが貼り付けられることが望ましい。防蟻シートに替えて、防蟻剤を框材Ａ，Ｂや補助桟材Ｃに含侵させて木質パネルを形成するようにしてもよい。
【００５２】
木質柱８は、上記のように、ユニット本体２の下端部における四隅の連結部２５に立設されている。すなわち、連結部２５の上面プレート２５ａには、四隅の柱２０が立設された隅部の対角線上に位置する隅部に、平面視Ｌ字状に形成された立ち上がり部２５ｂが設けられている。木質柱８は、その下端部における直交して隣接する二つの側面が、立ち上がり部２５ｂに接し、ビス等により固定されている。
木質柱８の下端部における上記の二つの側面は、立ち上がり部２５ｂの厚さ（板厚）分だけ欠き込み加工されている。つまり、木質柱８の下端部における上記の二側面を、Ｌ字状の立ち上がり部２５ｂに合わせて固定すると、木質柱８の二側面と、Ｌ字状の立ち上がり部２５ｂにおける外側（外角側）の側面とが面一の状態になる。
【００５３】
（フレーム材用パネル）
本実施形態におけるフレーム材用パネル３には、図１５，図１６，図２２，図２４，図２５に示すように、柱２０を被覆するフレーム材用パネル３Ａと、天井梁２１，２２を被覆するフレーム材用パネル３Ｂと、が含まれている。
【００５４】
柱２０を被覆するフレーム材用パネル３Ａは、縦横の框材Ａ，Ｂ、外側面材Ｄ、断熱材Ｆを備える。
フレーム材用パネル３Ａは、図１５，図１６に示すように、居住用ユニット１の四つのコーナー部に対して二つずつ設けられており、木質柱８における直交して隣接する二つの側面に対してそれぞれ固定されている。すなわち、木質柱８と、二つのフレーム材用パネル３Ａは、平面視においてＬ型を為すように配置されている。また、フレーム材用パネル３Ａは、連結部２５の上面プレート２５ａ上に設置された状態となっている。さらに、上端面には、端部用屋根パネル６が載せられた状態となっている。ここで、上記のように、木質柱８の二側面と、Ｌ字状の立ち上がり部２５ｂにおける外側の側面は面一の状態で、段差が生じないため、フレーム材用パネル３Ａを、木質柱８の側面に沿って隙間なく固定できるようになっている。
フレーム材用パネル３Ａは、柱２０の側面から間隔を空けて配置されている。そして、これらフレーム材用パネル３Ａと柱２０の側面との間の隙間には、図２４に示すように、フレーム材用パネル３Ａの内側に位置する内側断熱材３ａが充填されている。
【００５５】
天井梁２１，２２を被覆するフレーム材用パネル３Ｂは、縦横の框材Ａ，Ｂ、補助桟材Ｃ、外側面材Ｄ、断熱材Ｆを備える。補助桟材Ｃは、長辺方向の框材Ａの中央部間を接続するように設けられている。
フレーム材用パネル３Ｂは、図１５，図１６に示すように、柱２０を被覆するフレーム材用パネル３Ａの上端部間に架け渡されて設けられ、柱２０を被覆するフレーム材用パネル３Ａの上端部同士を連結している。すなわち、二本のフレーム材用パネル３Ａと、一本のフレーム材用パネル３Ｂは門型に組まれた状態となっている。
また、フレーム材用パネル３Ｂの上面には、屋根用木質パネル５及び端部用屋根パネル６が載せられた状態となっている。
フレーム材用パネル３Ｂは、天井梁２１，２２から間隔を空けて配置されている。そして、これらフレーム材用パネル３Ｂと天井梁２１，２２との間の隙間には、図２２に示すように、フレーム材用パネル３Ｂの内側に位置する内側断熱材３ｂが充填されている。内側断熱材３ｂは、複数の天井梁２１，２２の外側に設けられた断熱材であり、上方の屋根用木質パネル５，６と側方のフレーム材用パネル３Ｂに到達するとともに、複数の天井梁２１，２２のウェブ２１ａ，２２ａの位置まで充填されている。
【００５６】
各フレーム材用パネル３Ａ，３Ｂは、四隅の柱２０及び複数の天井梁２１，２２に沿って設けられているため、これらと同期して動作する。つまり、例えば居住用ユニット１が風や地震等により揺動（振動）した際は、居住用ユニット１におけるユニット本体２の骨組みである四隅の柱２０及び複数の天井梁２１，２２と同一の方向に揺動（動作）する。
換言すれば、各フレーム材用パネル３Ａ，３Ｂは、門型に組まれた状態であり、更にユニット本体２の連結部２５に立設された木質柱８に固定されているため、あたかもユニット本体２と一体化しているかのようにユニット本体２に組み込まれている。
【００５７】
（壁用木質パネル）
本実施形態における壁用木質パネル４は、図１４に示すように、縦横の框材Ａ，Ｂ、縦横の補助桟材Ｃ、両側面材Ｄ，Ｅ、断熱材Ｆを備える。
壁用木質パネル４は、柱２０の側面を被覆するフレーム材用パネル３Ａ間に複数並べられて配置されている。本実施形態における居住用ユニット１の場合、長辺方向においては六つの壁用木質パネル４が並べられ、短辺方向においては二つの壁用木質パネル４が並べられている。そして、これら壁用木質パネル４の上には、天井梁２１，２２を被覆するフレーム材用パネル３Ｂが設けられた状態となっている。
【００５８】
壁用木質パネル４は、図１７に示すように、第一取付金物２６によって、複数の天井梁２１，２２に取り付けられている。
第一取付金物２６は、天井梁２１，２２における下フランジ２１ｃ，２２ｃの下面に取り付けられており、壁用木質パネル４における矩形枠体の上辺を構成する框材Ｂに固定されている。
より詳細に説明すると、第一取付金物２６は、天井梁２１，２２における下フランジ２１ｃ，２２ｃの下面に取り付けられ、かつ外側に延出する第一板部２６ａと、第一板部２６ａの延出方向側端部から下方に延びる第二板部２６ｂと、第二板部２６ｂの下端部から外側に延出して框材Ｂの下面に固定される第三板部２６ｃと、を有する。第三板部２６ｃは、壁用木質パネル４における内側面材Ｅを貫通しており（内側面材Ｅに形成された貫通孔に通されており）、框材Ｂの下面に対して下方から接する。
また、第一取付金物２６における基端部となる第一板部２６ａは、中央部が、天井梁２１，２２における下フランジ２１ｃ，２２ｃに対してボルト２８留めされており、左右方向に対して僅かに回転可能となっている。図示はしないが、第一板部２６ａには、ボルト２８が通される通し孔が形成されている。この通し孔は、円孔でもよいし、天井梁２１，２２の長さ方向に長い長孔でもよい。
なお、本実施形態においては、第一取付金物２６は、一つの壁用木質パネル４に対して二つ設けられている。すなわち、壁用木質パネル４の上端部における左右側端部のそれぞれに第一取付金物２６の第三板部２６ｃが固定されている。
【００５９】
壁用木質パネル４は、図１８に示すように、第二取付金物２７によって、複数の床梁２３，２４に取り付けられている。
第二取付金物２７は、床梁２３，２４における上フランジ２３ｂ，２４ｂの、居住スペースＳ側の上面に取り付けられており、壁用木質パネル４における矩形枠体の下辺を構成する框材Ｂに固定されている。
より詳細に説明すると、第二取付金物２７は、床梁２３，２４における上フランジ２３ｂ，２４ｂの、居住スペースＳ側の上面に取り付けられ、かつ外側に延出する第一板部２７ａと、第一板部２７ａの延出方向側端部から上方に延出し、かつ内側面材Ｅを介して框材Ｂの側面に固定される第二板部２７ｂと、を有する。そして、壁用木質パネル４の下端部は、床梁２３，２４における上フランジ２３ｂ，２４ｂの、外側の上面に載せられた状態となっている。
また、第二取付金物２７における基端部となる第一板部２７ａは、中央部が、床梁２３，２４における上フランジ２３ｂ，２４ｂに対してボルト２８留めされており、左右方向に対して僅かに回転可能となっている。図示はしないが、第一板部２７ａには、ボルト２８が通される通し孔が形成されている。この通し孔は、円孔でもよいし、天井梁２１，２２の長さ方向に長い長孔でもよい。
なお、本実施形態においては、第二取付金物２７は、一つの壁用木質パネル４に対して三つ設けられている。すなわち、壁用木質パネル４の下端部における中央及び左右側端部のそれぞれに第二取付金物２７の第二板部２７ｂが固定されている。
【００６０】
壁用木質パネル４は、第一取付金物２６及び第二取付金物２７を介して複数の天井梁２１，２２及び複数の床梁２３，２４に取り付けられている。しかも、外側に延出する第一取付金物２６及び第二取付金物２７によって、複数の天井梁２１，２２及び複数の床梁２３，２４よりも外側に位置し、なおかつ左右方向に対して僅かに回転可能となっている。そのため、ユニット本体２に取り付けられた複数の壁用木質パネル４は、カーテンウォールとして機能することになる。すなわち、例えば居住用ユニット１が風や地震等により揺動（振動）した際は、居住用ユニット１におけるユニット本体２の骨組みである四隅の柱２０及び複数の天井梁２１，２２と同一の動作を行わないため、壁用木質パネル４の脱落や破損を防ぐことができるようになっている。
【００６１】
各壁用木質パネル４の外周端面には、図１９に示すように、弾力性を有する緩衝材１０が設けられ、当該緩衝材１０は、隣接する木質パネル（フレーム材用パネル３、壁用木質パネル４）との間で潰れた状態となっている。また、緩衝材１０は、隣接する木質パネルとの間だけでなく、壁用木質パネル４の外周端面に強く接する部材（緩衝材１０が潰れる程度の圧力で接する部材）との間では潰れた状態となる。
緩衝材１０は、フィラー材、パッキン材、気密シール等とも呼ばれるものであり、所定の壁用木質パネル４と、当該所定の壁用木質パネル４の外周端面に強く接する部材との間における緩衝機能を発揮するとともに、気密性の向上を図ることができる。緩衝材１０の材料としては、特に限定されるものではないが、例えば天然ゴムやクロロプレンゴム、エチレンプロピンゴム等のゴム系素材が好適に使用されるが、これに限られるものではなく、ポリエチレンなどの樹脂性の素材を使用してもよい。すなわち、弾力性（クッション性）があり、潰れた状態での気密性がある素材であればよい。
なお、本実施形態においては、壁用木質パネル４の外周端面にのみ緩衝材１０が設けられるものとするが、他の木質パネル（フレーム材用パネル３、屋根用木質パネル５，６、床用木質パネル７）の外周端面に緩衝材１０が設けられてもよい。
【００６２】
壁用木質パネル４は、上記のように、複数の天井梁２１，２２及び複数の床梁２３，２４よりも外側に位置している。その分を利用し、壁用木質パネル４の居住スペースＳ側には、図２２に示すように、中間断熱材４ａ及び内側断熱材４ｂが更に設けられている。
内側断熱材４ｂは、居住用ユニット１における壁のうち、居住スペースＳに最も近い位置に設けられた断熱材である。中間断熱材４ａは、壁のうち最も外側に位置する壁用木質パネル４内部の断熱材Ｆと、内側断熱材４ｂとの間に位置する断熱材である。
また、壁用木質パネル４の内側面材Ｅにおける両側縁部には、上下方向に沿って角材である下地材４ｃが取り付けられている。図２４に示すように、内側断熱材４ｂは下地材４ｃを取付下地として設けられている。中間断熱材４ａは、下地材４ｃと並列に設けられており、壁用木質パネル４、内側断熱材４ｂ、下地材４ｃに囲まれた状態となっている。
さらに、内側断熱材４ｂの居住スペースＳ側面には、内装仕上げ材である内壁材１２が設けられている。内壁材１２を石膏ボードとし、この石膏ボードの居住スペースＳ側面に壁クロスを貼り付けてもよい。
【００６３】
壁用木質パネル４には、図１，図２，図１４に示すように、ドアＤｏや窓Ｗ等の開口部を有するものが含まれている。壁用木質パネル４にドアＤｏや窓Ｗが形成される場合は、框材Ａ，Ｂや補助桟材Ｃの組み方（開口部用枠）が適宜変更されて開口部が形成される。開口部には、ドアＤｏ用のサッシや窓Ｗ用のサッシが組み付けられる。また、居住用ユニット１が寒冷地や極地で使用される場合には、これらサッシはいずれも寒冷地や極地に対応できる仕様とされている。
【００６４】
本実施形態における壁用木質パネル４及びフレーム材用パネル３Ａ，３Ｂは、外装材１ａによって被覆されるものとするが、これに限られるものではなく、壁用木質パネル４及びフレーム材用パネル３Ａ，３Ｂに外壁材が設けられてもよいし、太陽光発電アレイが設けられてもよい。
【００６５】
（屋根用木質パネル）
本実施形態における屋根用木質パネル５，６は、図１１，図１２，図２０〜図２２等に示すように、縦横の框材Ａ，Ｂ、縦横の補助桟材Ｃ、外側面材Ｄ、断熱材Ｆを備える。外側面材Ｄは上側に設けられている。
屋根用木質パネル５，６には、通常の屋根用木質パネル５と、居住用ユニット１（ユニット本体２）の長辺方向両端部に設けられる端部用屋根パネル６と、が含まれている。
【００６６】
通常の屋根用木質パネル５は、図１４，図２０に示すように、自身の長辺方向とユニット本体２の短辺方向とが揃うように配置され、計六つの屋根用木質パネル５が、ユニット本体２の長辺方向に並べられて設けられている。
そして、これらの屋根用木質パネル５は、ユニット本体２の長辺方向両端部（四隅の柱２０の上端面）に設けられた凸部２９を位置決め手段としてユニット本体２の上面に設置されている。すなわち、屋根用木質パネル５をユニット本体２の長辺方向に並べる際に、一つ目の屋根用木質パネル５を凸部２９に当接するように配置し、二つ目の屋根用木質パネル５を一つ目の屋根用木質パネル５に当接するように配置する。以降、屋根用木質パネル５を一つ前の屋根用木質パネル５に当接するように配置していけば、ユニット本体２の長辺方向両端部に設けられた凸部２９間に、通常の屋根用木質パネル５がぴったりと納まることになる。通常の屋根用木質パネル５を、ユニット本体２の長辺方向両端部側から中央に向かって次々と納めていく方法を採ってもよいものとする。
なお、屋根用木質パネル５として、例えばユニット本体２の長辺方向に沿って長大なものを使用する場合においても、ユニット本体２の長辺方向両端部に設けられた凸部２９間に納めればよい。
【００６７】
隣接する通常の屋根用木質パネル５は、長辺方向の框材Ａ同士が接しているため、これら框材Ａ同士がボルト連結されることで、すべての屋根用木質パネル５が一繋ぎの状態になる。また、これらの屋根用木質パネル５は、長辺天井梁２１を被覆するフレーム材用パネル３Ｂの上面に対してボルト留めされている。
なお、図２０には、長辺方向の框材Ａ同士をボルト連結する際にボルトが通される通し孔が形成されている点と、各屋根用木質パネル５の長さ方向両端部における短辺方向両端部に対してボルトが通される通し孔が形成されている点が示されている。
【００６８】
端部用屋根パネル６は、図２１に示すように、長さ方向両端部に設けられた凹部６ａを有する。当該凹部６ａは、端部用屋根パネル６の下面に形成されており、端部用屋根パネル６をユニット本体２の長辺方向両端部に設置したときに凸部２９が収容される部位となっている。
端部用屋根パネル６は、このように凹部６ａを有するため、長辺方向の框材Ａが凹部６ａの位置で途切れた状態となっている。すなわち、凹部６ａは、下方及び側方に開放された状態となっている。さらに、凹部６ａを形成するために、補助桟材ＣがＨ型に組まれて長辺方向の框材Ａ同士間に組み付けられている。
【００６９】
端部用屋根パネル６を構成する外側面材Ｄのうち、凹部６ａの位置に対応する箇所と長さ方向両端部の箇所には、ボルトが通される通し孔が形成されている。端部用屋根パネル６をユニット本体２の上面に設置する際は、凹部６ａ内に凸部２９が納まるようにして設置し、凸部２９の上面と、短辺天井梁２２を被覆するフレーム材用パネル３Ｂに対してボルト留めを行う。そして、端部用屋根パネル６を、凸部２９に隣接する屋根用木質パネル５に設けるようにする。
【００７０】
また、凹部６ａの位置で途切れるように形成された框材Ａは、通常の屋根用木質パネル５のうち凸部２９に隣接する屋根用木質パネル５における框材Ａに対して接する。そして、当該端部用屋根パネル６の框材Ａには、ボルトが通される複数の通し孔が形成されており、隣接する通常の屋根用木質パネル５及び端部用屋根パネル６における隣接する框材Ａ同士がボルト連結されるようになっている。
【００７１】
複数の通常の屋根用木質パネル５と、ユニット本体２の長辺方向両端部の端部用屋根パネル６は全てが互いにボルト連結され、ユニット本体２の上面における長さ方向に連続して一繋ぎの状態となっている。さらに、それぞれの屋根用木質パネル５，６が複数の天井梁２１，２２を被覆するフレーム材用パネル３Ｂに対してボルト留めされている。これらの屋根用木質パネル５，６が連結された居住用ユニットの屋根は、ユニット本体２の上面よりも外側に広く形成されており、あたかも一枚の大判な屋根用木質パネルとして、ユニット本体２の上面を被覆できるようになっている。
【００７２】
屋根用木質パネル５，６は、上記のように、支持金物３０と、フレーム材用パネル３Ｂと、凸部２９とによって、複数の天井梁２１，２２よりも上方に設けられた状態となっている。さらに、複数の天井梁２１，２２とフレーム材用パネル３Ｂとの間には、壁用木質パネル４が複数の天井梁２１，２２及び複数の床梁２３，２４よりも外側に位置しているのに合わせて隙間が形成されている。その分を利用し、屋根用木質パネル５，６の居住スペースＳ側には、図２２，図２５に示すように、内側断熱材５ａが更に設けられている。
内側断熱材５ａは、複数の天井梁２１，２２よりも内側に設けられ、居住スペースＳの上に配置された断熱材であり、複数の天井梁２１，２２のウェブ２１ａ，２２ａの位置まで充填されている。
さらに、内側断熱材５ａの居住スペースＳ側面には、内装仕上げ材である天井材１３が設けられている。天井材１３を石膏ボードとし、この石膏ボードの居住スペースＳ側面に天井クロスを貼り付けてもよい。
【００７３】
本実施形態における屋根用木質パネル５，６は、外装材１ａによって被覆されるものとするが、これに限られるものではなく、屋根用木質パネル５，６の上に屋根材が設けられてもよいし、太陽光発電アレイが設けられてもよい。
【００７４】
（床用木質パネル）
本実施形態における床用木質パネル７は、図１４，図２３等に示すように、縦横の框材Ａ，Ｂ、縦横の補助桟材Ｃ、外側面材Ｄ、断熱材Ｆを備える。外側面材Ｄは下側に設けられている。
床用木質パネル７のサイズは、通常の屋根用木質パネル５のサイズと同等に設定されており、通常の屋根用木質パネル５と同じく六つの床用木質パネル７が用いられている。これら床用木質パネル７は、互いにボルト連結されている。
【００７５】
床用木質パネル７は、自身の長辺方向とユニット本体２の短辺方向とが揃うように配置され、計六つの床用木質パネル７が、ユニット本体２の長辺方向に並べられて設けられている。そして、外周縁部が、複数の床梁２３，２４に対して床受けブラケット３２を介して設けられた床受け部３３によって受けられている。
なお、複数の床梁２３，２４は、上記のように、複数の天井梁２１，２２よりも外側に位置しているが、複数の床受けブラケット３２によって床受け部３３が居住スペースＳ側に位置しているため、屋根用木質パネル５と同サイズの床用木質パネル７を、屋根用木質パネル５の真下に設けることができる。
【００７６】
床用木質パネル７の上方には、当該床用木質パネル７の上面（パネル枠体の上面）に設けられた床支持具１４ａによって支持される床面材１４が設けられている。図２３に示すように、壁における各断熱材４ａ，４ｂ及び壁面材１２は、下端部が、複数の床梁２３，２４の上面及び床受けブラケット３２の上方まで設けられている。そのため、床面材１４の外周端部と壁面材１２との間にはパッキン材１４ｂが充填されている。
なお、床面材１４の表裏両面には蓄熱材が貼り付けられており、居住スペースＳにおける熱を蓄熱できるようになっている。
【００７７】
床用木質パネル７は、上記のように、床支持具１４ａによって支持された床面材１４との間に隙間が形成されている。その分を利用し、床用木質パネル７の居住スペースＳ側には、内側断熱材７ａが更に設けられている。また、複数の床受けブラケット３２間にも内側断熱材７ｂが充填されている。
内側断熱材７ａは、床面材１４よりも下方に延びる壁における各断熱材４ａ，４ｂ及び壁面材１２に接するまで充填されている。
【００７８】
（調整材）
壁用木質パネル４の下方には、図２３に示すように、調整材９が設けられている。すなわち、壁用木質パネル４の下端部は、上記のように、床梁２３，２４における上フランジ２３ｂ，２４ｂの、外側の上面に載せられた状態となっている。そのため、壁用木質パネル４の外側半分は、床梁２３，２４の上フランジ２３ｂ，２４ｂよりも外側にはみ出した状態となっている。調整材９は、このように外側にはみ出した壁用木質パネル４の下端面の下方に位置するようにして設けられている。
【００７９】
より具体的に説明すると、調整材９は、床梁２３，２４のウェブ２３ａ，２４ａにおける外側面に設けられた調整材受け部３４の被固定板部３４ｃに対して固定されている。また、調整材９は、その上下寸法が、床梁２３，２４の上下寸法と略等しく設定されていることで、壁用木質パネル４の下方であって、かつ床梁２３，２４の側方に生じる凹みを埋めるようにして設けられることになる。
【００８０】
調整材９は、複数の床梁２３，２４の外側に設けられて、当該複数の床梁２３，２４を被覆する役割を果たす。また、調整材９は、ユニット本体２の下端部における四隅に設けられた各連結部２５間に亘って設けられている。
【００８１】
（コーナー用被覆材）
コーナー用被覆材１５は、上記のように、フレーム材用パネル３Ａ，３Ｂの外側において当該フレーム材用パネル３Ａ，３Ｂに沿って設けられている。より詳細に説明すると、コーナー用被覆材１５は、図２２，図２４，図２５に示すように、居住用ユニット１の四つの側面のそれぞれに、当該側面の上辺と両側辺に沿って設けられている。上辺に設けられたコーナー用被覆材１５と、両側辺に設けられたコーナー用被覆材１５は、門型に接続された状態となっている。本実施形態におけるコーナー用被覆材１５は、居住用ユニット１側面の下辺や、居住用ユニット１の上面には設けられていないが、適宜設けられるものとしてもよい。
【００８２】
コーナー用被覆材１５は、中央部が凹んだ状態となるように断面視凹型に形成されており、二つの下地部１５ａと、カバー部１５ｂと、凹溝部１５ｃと、を有する。凹溝部１５ｃは、コーナー用被覆材１５における中央部の上記の凹んだ状態の部分（下地部１５ａ間の凹みに沿って形成されたカバー部１５ｂの凹み）を指し、当該凹溝部１５ｃは、コーナー用被覆材１５の長さ方向に沿って形成されている。
【００８３】
二つの下地部１５ａは角材であり、互いに間隔を空けて居住用ユニット１の側面における上辺及び両側辺に沿って固定される。より具体的には、上辺の場合は、図２２及び図２５に示すように、屋根用木質パネル５，６側とフレーム材用パネル３Ｂ側に間隔を空けて二つの下地部１５ａが設けられている。両側辺の場合は、図２４に示すように、木質柱８側とフレーム材用パネル３Ａ側に間隔を空けて二つの下地部１５ａが設けられている。
なお、木質柱８のうち最も外側に位置する角部を介して直交方向に配置されて隣接する二つの下地部１５ａは、いずれか一方の幅寸法を短くするか、隣接する幅方向側端を斜め４５度にカットする。
【００８４】
カバー部１５ｂは、二つの下地部１５ａと、これら二つの下地部１５ａ間の凹みを被覆するようにして設けられる鋼板のカバーであり、二つの下地部１５ａに対してビス等で固定されている。
なお、木質柱８のうち最も外側に位置する角部を介して直交方向に配置されて隣接する二つのカバー部１５ｂは一体形成されてもよい。
【００８５】
コーナー用被覆材１５における中央部の凹溝部１５ｃは、例えば図２４，図２５に示すように、連結スペース５０の被覆材６２を取り付けるために使用されたり、屋根面からの雨水を二段階で受けて下方に流す水切部材として使用されたりする。
【００８６】
〔架台について〕
居住用ユニット１が連結される架台４０は、居住用ユニット１が載せられた状態で牽引車両（図示省略）による移動を可能とする輸送用架台とされており、居住用ユニット１が載置固定されるユニット設置部４１と、ユニット設置部４１を支持する支持脚部４２と、を備える。
【００８７】
ユニット設置部４１は、その外周端部が、居住用ユニット１の下端面よりも外側にはみ出すように寸法設定されたフレーム体又は板状体であり、四隅には、ユニット本体２四隅の連結部２５における連結ボックス２５ｄ内部に挿入されるボルト（図示省略）が上方に突出して設けられている。
なお、ユニット本体２に対して複数の木質パネルを装着する作業は、このユニット設置部４１上で行うことが可能となっている。ユニット本体２自体は、予め工場などで組み立てられるため、場合によっては、ユニット設置部４１上にユニット本体２が設置された状態で架台４０ごと現場に輸送されてもよい。複数の木質パネルを装着する作業についても、工場で行われてもよいし、現場で行われてもよい。
【００８８】
支持脚部４２は、架台４０を居住用ユニット１輸送用とするための仕様が適用される。すなわち、居住用ユニット１が寒冷地や極地で使用される場合、支持脚部４２は、図１等に示すように、橇部４２ａを有する。また、居住用ユニット１が寒冷地や極地以外で使用される場合は車輪を有してもよいし、工事現場や農地、砂漠等の不整地でも輸送ができるように無限軌道（キャタピラーなどともいう）を有してもよい。
【００８９】
なお、本実施形態においては、支持脚部４２が橇部４２ａを有し、居住用ユニット１が寒冷地や極地で使用されることが想定されているため、牽引車両としては例えば雪上車が用いられる。このような牽引車両と、ユニット設置部４１又は支持脚部４２は、牽引チェーン４３や牽引ベルトによって接続される。
【００９０】
また、本実施形態においては、二つの居住用ユニット１（１Ａ，１Ｂ）が連結スペース５０を介して連結された状態で使用される。そのため、二つの居住用ユニット１（１Ａ，１Ｂ）はそれぞれが架台４０に載せられており、牽引車両によって同時に牽引できるようになっている。このような場合には、一方の架台４０と他方の架台４０とを連結する連結装置が適宜用いられてもよい。
【００９１】
〔連結スペースについて〕
二つの居住用ユニット１（１Ａ，１Ｂ）を連結する連結スペース５０は、図１，図３〜図５，図２２，図２４，図２５に示すように、二つの居住用ユニット１Ａ，１Ｂを連結手段５１及び被覆手段６１によって連結したときに形成される空間を含む場所全体を指している。また、二つの居住用ユニット１Ａ，１Ｂのうち、連結スペース５０によって連結される箇所には壁用木質パネル４が設けられず、二つの居住用ユニット１Ａ，１Ｂは、連結スペース５０に向かって開放された状態となっている。
【００９２】
連結スペース５０は、二つの居住用ユニット１Ａ，１Ｂの床同士（連結スペース５０に面する床用木質パネル７同士）を連結する連結床構造と、連結スペース５０のうち少なくとも上部と両側部を被覆材６２によって被覆する被覆構造と、によって構成される。
二つの居住用ユニット１Ａ，１Ｂは、異なる構造体として形成されたもので、それぞれ別の架台４０に設置されたものであるため、振動が発生したときに、それぞれ異なる動作を行う場合がある。連結床構造及び被覆構造は、連結スペース５０を構成しつつ、そのような異なる動作を効果的に吸収できるようになっている。
【００９３】
（連結床構造）
連結スペース５０における床を構成する連結床構造は、図３，図５に示すように、一方の居住用ユニット１Ａにおける床梁２３と、他方の居住用ユニット１Ｂにおける床梁２３との間に架け渡されて設けられた連結手段５１と、連結手段５１から上方に間隔を空けた位置に設けられた連結床部５５と、を有する。
そして、連結手段５１は、可動機構５２と、床フレーム５３と、下面材５４と、吊部材５４ａと、を備える。また、連結床部５５は、第一床部５６と、第二床部５７と、を備える。
【００９４】
連結手段５１において、可動機構５２は、一方及び他方の居住用ユニット１Ａ，１Ｂにおける床梁２３のそれぞれに設けられるとともに互いに間隔を空けて配置され、かつ上下方向及び左右方向への動作が可能に構成されている。
このような可動機構５２としては、例えばヒッチボールと、このヒッチボールに対して上下方向及び左右方向に動作可能なヒッチカプラと、からなるヒッチ構造が採用される。
【００９５】
床フレーム５３は、一方の居住用ユニット１Ａ側の可動機構５２と、他方の居住用ユニット１Ｂの可動機構５２との間に架け渡されて設けられている。床フレーム５３は、双方の可動機構５２間に設けられ、これら可動機構５２に同期して動作を行う。
【００９６】
下面材５４は、いわゆるエキスパンションジョイントとも呼ばれ、可撓性を有する蛇腹状の面材であり、例えば熱可塑性エラストマーにより製造されて耐寒性を有する。そして、一方の居住用ユニット１Ａにおける床梁２３と、他方の居住用ユニット１Ｂにおける床梁２３との間に架け渡されるとともに外部に面して設けられている。
また、このような下面材５４は、上記のように可撓性を有するため、吊部材５４ａによって中央付近が吊り下げられている。吊部材５４ａは、アングル材であり、上面が床フレーム５３の下面に固定されており、下方に延びる部分に下面材５４が固定されている。
【００９７】
連結床部５５において、第一床部５６は、いわゆる床用エキスパンションジョイントとも呼ばれ、一方及び他方の居住用ユニット１（１Ａ，１Ｂ）のそれぞれにおける床梁２３の上方に位置し、かつ水平方向へのスライド機構を有する。また、第一床部５６は、一方及び他方の居住用ユニット１Ａ，１Ｂにおける床面材１４と隣り合って配置されている。
【００９８】
第二床部５７は、双方の第一床部５６間に位置しており、床フレーム５３の上方に支持されている。なお、この第二床部５７は、居住用ユニット１Ａ，１Ｂに設けられる床面材１４と同一のものであって、第一床部５６とは異なり、それ自体がスライド機構を有するものではなく、床フレーム５３と同期して変位する。
【００９９】
なお、以上のような連結床構造（連結床部５５の下方）には、断熱材が適宜充填されるものとする。
本実施形態における連結床構造は、以上のようにして構成されている。すなわち、連結手段５１には、上記のように、フレキシブル性の高い構造が採用されており、一方の居住用ユニット１Ａと他方の居住用ユニット１Ｂとの間で破壊的な力が伝達されないようにすることができる。
【０１００】
（被覆構造）
連結スペース５０のうち少なくとも上部と両側部を被覆材６２によって被覆する被覆構造は、図２４，図２５に示すように、被覆材６２が、一方の居住用ユニット１Ａから他方の居住用ユニット１Ｂに跨って設けられるとともに、連結スペース５０のうち少なくとも上部と両側部を被覆している。そして、被覆材６２は、当該被覆材６２における一方及び他方の居住用ユニット１Ａ，１Ｂ側端部に沿って連続して設けられるとともに当該端部を保持する留付フレーム７０によって、一方及び他方の居住用ユニット１Ａ，１Ｂに留め付けられている。
【０１０１】
被覆材６２は、少なくとも耐候性及び防水性を有するシート（膜）であり、第一被覆材６２１と、第二被覆材６２２と、防水ファスナー６３と、を備える。
第一被覆材６２１は、連結スペース５０における一方の居住用ユニット１Ａ側を被覆するものであり、一方の居住用ユニット１Ａに留め付けられている。
第二被覆材６２２は、連結スペース５０における他方の居住用ユニット１Ｂ側を被覆するものであり、他方の居住用ユニット１Ｂに留め付けられている。
防水ファスナー６３は、第一被覆材６２１と第二被覆材６２２とを接続し、接続時において防水機能を発揮する。
なお、本実施形態においては、被覆材６２はシート（膜）であるとしたが、これに限られるものではなく、シートよりも剛性の高い面材（板材）を用いてもよい。
【０１０２】
留付フレーム７０は、被覆材６２における一方及び他方の居住用ユニット１Ａ，１Ｂ側端部の内側面に接する第一フレーム７１と、被覆材６２における一方及び他方の居住用ユニット１Ａ，１Ｂ側端部の外側面に接し、第一フレーム７１との間に被覆材６２を挟み込む第二フレーム７２と、を備える。
すなわち、留付フレーム７０は、一方の居住用ユニット１Ａ側と他方の居住用ユニット１Ｂ側にあり、第一被覆材６２１及び第二被覆材６２２における一方及び他方の居住用ユニット１Ａ，１Ｂ側端部を、連結スペース５０の内側と外側から挟み込んだ状態で、一方の居住用ユニット１Ａ及び他方の居住用ユニット１Ｂにそれぞれ留め付けられている。
なお、第一フレーム７１と第二フレーム７２はボルト連結されている。そのため、被覆材６２（第一被覆材６２１、第二被覆材６２２）における一方及び他方の居住用ユニット１Ａ，１Ｂ側端部にもボルトを通す孔が形成されているものとする。
【０１０３】
また、留付フレーム７０は、一方の居住用ユニット１Ａにおける他方の居住用ユニット１Ｂ側面に設けられたコーナー用被覆材１５と、他方の居住用ユニット１Ｂにおける一方の居住用ユニット１Ａ側面に設けられたコーナー用被覆材１５の、それぞれの凹溝部１５ｃに設けられた被留付フレーム７５に対して留め付けられている。
被留付フレーム７５が設けられた一方及び他方の居住用ユニット１Ａ，１Ｂにおけるコーナー用被覆材１５同士は互いに真正面に対向しており、第一被覆材６２１と第二被覆材６２２とを真っ直ぐに張設できるようになっている。
【０１０４】
以上のように張設された被覆材６２の内側には断熱材が充填される。連結スペース５０の側方においては、留付フレーム７０に対して下地受けブラケット７１４が一体的に設けられ、下地受けブラケット７１４に対して木質の下地材６５ａが設けられている。そして、下地材６５ａに対して内側断熱材６５が設けられている。また、この内側断熱材６５と被覆材６２との間には隙間が形成されることになるが、この隙間にも内側断熱材６４を充填してもよい（図４参照）。連結スペース５０の上方においても二重に内側断熱材６６，６７が充填されている。
【０１０５】
以上のように構成された居住用ユニット１（１Ａ，１Ｂ）は、比較的過酷な環境下で使用することが想定されており、断熱性及び気密性に優れる。また、架台４０に対して移動機構（本実施形態では橇部４２ａ）を設け、牽引車両で牽引することで、環境変動に合わせて居住用ユニット１（１Ａ，１Ｂ）を移動することができる。これにより、比較的過酷な環境下であっても快適な居住空間を形成することが可能となる。
【０１０６】
本実施の形態によれば、複数の木質パネルには、少なくとも四隅の柱２０と複数の天井梁２１，２２のそれぞれに沿って配置され、かつ当該四隅の柱２０及び複数の天井梁２１，２２おける外側面を被覆するようにして設けられるフレーム材用パネル３（３Ａ，３Ｂ）と、天井梁２１，２２と床梁２３，２４との間に架け渡されるようにして設けられ、かつ、四隅の柱２０における外側面を被覆するフレーム材用パネル３（３Ａ，３Ｂ）間に複数並べられて配置される壁用木質パネル４と、が含まれており、フレーム材用パネル３（３Ａ，３Ｂ）は、四隅の柱２０及び複数の天井梁２１，２２と同期して動作し、壁用木質パネル４は、カーテンウォールとして機能するので、ラーメン構造を構成する略直方体フレーム状のユニット本体２による構造性能を確保しつつ、より高い断熱性能を発揮することができる。
すなわち、ヒートブリッジなど低温環境下における影響を受けやすい鉄骨の四隅の柱２０や複数の天井梁２１，２２を、フレーム材用パネル３（３Ａ，３Ｂ）によって被覆することができるので、断熱性の向上を図ることができる。また、このようなフレーム材用パネル３（３Ａ，３Ｂ）は、四隅の柱２０及び複数の天井梁２１，２２と同期して動作するので、例えば地震や強風によってユニット本体２が振動しても、四隅の柱２０及び複数の天井梁２１，２２を被覆した状態を維持できる。
さらに、壁用木質パネル４は、カーテンウォールとして機能するので、ユニット本体２の振動に極端に影響されることなく、ユニット本体２の側面を被覆することができ、断熱性の維持に貢献できる。
【０１０７】
また、壁用木質パネル４の外周端面には弾力性を有する緩衝材１０が設けられ、当該緩衝材１０は、複数の木質パネルのうち隣接する木質パネル（フレーム材用パネル３、壁用木質パネル４、屋根用木質パネル５、端部用屋根パネル６の他、調整材９及び複数の床梁２３，２４を含んでもよい。）との間で潰れた状態となっているので、壁用木質パネル４と、これに隣接する木質パネルとの間の気密性を向上させることができる。また、壁用木質パネル４と、これに隣接する木質パネルとの間における摩擦の低減を図ることができる。
【０１０８】
また、複数の木質パネルには、複数の天井梁２１，２２間に架け渡される複数の屋根用木質パネル５，６が更に含まれているので、居住用ユニット１の上面における断熱性を確保することができ、結果的に居住用ユニット１全体の断熱性能の向上に貢献できる。
【０１０９】
また、四隅の柱２０における外側面を被覆するフレーム材用パネル３（３Ａ）間に複数並べられて配置された壁用木質パネル４の上に、複数の天井梁２１，２２を被覆するフレーム材用パネル３（３Ｂ）が設けられ、その上方に、複数の屋根用木質パネル５，６が設けられているので、断熱性能を有する複数の木質パネルによって、居住用ユニット１の側面から上面にかけて連続して被覆することができる。そのため、居住用ユニット１全体の断熱性能を向上させることができる。
【０１１０】
また、四隅の柱２０を被覆するフレーム材用パネル３（３Ａ）の上端部と、複数の天井梁２１，２２を被覆するフレーム材用パネル３（３Ｂ）の側端部とが連結されているので、四隅の柱２０と、四隅の柱２０の上端部同士を連結する複数の天井梁２１，２２と同期しやすくなり、断熱性の向上に貢献できる。
【符号の説明】
【０１１１】
Ｓ  居住スペース
Ａ  長辺框材
Ｂ  短辺框材
Ｃ  補助桟材
Ｄ  外側面材
Ｅ  内側面材
Ｆ  断熱材
１  居住用ユニット
１ａ  外装材
２  ユニット本体
３  フレーム材用パネル
４  壁用木質パネル
５  屋根用木質パネル
６  端部用屋根パネル
６ａ  凹部
７  床用木質パネル
８  木質柱
９  調整材
１０  緩衝材
１５  コーナー用被覆材
１５ｃ  凹溝部
２０  柱
２１  長辺天井梁
２２  短辺天井梁
２３  長辺床梁
２４  短辺床梁
２５  連結部
２５ａ  上面プレート
２５ｂ  立ち上がり部
２５ｄ  連結ボックス
２６  第一取付金物
２７  第二取付金物
２８  ボルト
２９  凸部
３０  支持金物
３１  水平ブレース
３２  床受けブラケット
３３  床受け部
３４  調整材受け部
４０  架台
５０  連結スペース
５１  連結手段
５２  可動機構
５３  床フレーム
５４  下面材
５４ａ  吊部材
５５  連結床部
５６  第一床部
５７  第二床部
６１  被覆手段
６２  被覆材
６２１  第一被覆材
６２２  第二被覆材
６３  防水ファスナー
７０  留付フレーム
７１  第一フレーム
７２  第二フレーム
７５  被留付フレーム
【図１】
2020159084.tif 000003
【図２】
2020159084.tif 000004
【図３】
2020159084.tif 000005
【図４】
2020159084.tif 000006
【図５】
2020159084.tif 000007
【図６】
2020159084.tif 000008
【図７】
2020159084.tif 000009
【図８】
2020159084.tif 000010
【図９】
2020159084.tif 000011
【図１０】
2020159084.tif 000012
【図１１】
2020159084.tif 000013
【図１２】
2020159084.tif 000014
【図１３】
2020159084.tif 000015
【図１４】
2020159084.tif 000016
【図１５】
2020159084.tif 000017
【図１６】
2020159084.tif 000018
【図１７】
2020159084.tif 000019
【図１８】
2020159084.tif 000020
【図１９】
2020159084.tif 000021
【図２０】
2020159084.tif 000022
【図２１】
2020159084.tif 000023
【図２２】
2020159084.tif 000024
【図２３】
2020159084.tif 000025
【図２４】
2020159084.tif 000026
【図２５】
2020159084.tif 000027